(57)【要約】【課題】導子を治療部分から離す際の負荷が従来技術よりも低減されるようにする。【解決手段】導子１は、表面に電極部３が設けられるヘッド部１０と、ヘッド部１０に接続されるヘッド支持部１２と、を有する。ヘッド支持部１２は、ヘッド部１０の表面に沿った方向に延伸する延伸部１２ａと、延伸部１２ａとヘッド部１０とを接続する接続部１２ｂと、を有する。接続部１２ｂは、延伸部１２ａの途中の位置において延伸部１２ａと接続されている。【選択図】図１
2015131029.tif 000002
【特許請求の範囲】
【請求項１】
表面に電極部が設けられるヘッド部と、前記ヘッド部に接続されるヘッド支持部と、を有し、
前記ヘッド支持部は、前記ヘッド部の表面に沿った方向に延伸する延伸部と、前記延伸部と前記ヘッド部とを接続する接続部と、を有し、
前記接続部は、前記延伸部の途中の位置において当該延伸部と接続されている、
ことを特徴とする導子。
【請求項２】
前記ヘッド部には、前記電極部が設けられる表面に向かい断面積が小さくなるテーパが形成されている、
ことを特徴とする請求項１に記載の導子。
【請求項３】
前記延伸部における前記接続部と接続される位置よりも前方の部分は当該位置よりも後方の部分よりも平面視で幅広になっている、
ことを特徴とする請求項１又は２に記載の導子。
【発明の詳細な説明】
【技術分野】
【０００１】
本発明は、導子に関する。
【背景技術】
【０００２】
低周波治療器や高周波治療器などといった治療器に用いられる導子の一例として、特許文献１には、把持部を備えた導子が開示されている。
【０００３】
図１０に、従来の導子１０１を備えた治療器を使用している様子の一例を示す。そして図１１に、別の従来の導子１０１を備えた治療器を使用している様子の一例を示す。図１０及び図１１に示す導子１０１は、本体部１０２と、電極部１０３と、を含んで構成されている。そして本体部１０２は、ヘッド部１１０と、ヘッド部１１０に接続されるヘッド支持部１１２と、を有している。ヘッド部１１０の表面には電極部１０３が設けられている。そして電極部１０３を治療部分１１８に接触させることで各種治療が行えるようになっている。
【０００４】
図１０に示す導子１０１では、ヘッド支持部１１２が、電極部１０３が設けられるヘッド部１１０の表面に対して垂直な方向に延伸している。一方、図１１に示す導子１０１では、ヘッド支持部１１２は、ヘッド部１１０の表面に沿った方向に延伸する延伸部１１２ａと、延伸部１１２ａとヘッド部１１０とを接続する接続部１１２ｂと、を有する。図１１に示すヘッド支持部１１２は、側面視においてＬ字形状であり、接続部１１２ｂは、延伸部１１２ａの先端とヘッド部１１０とを接続している。
【先行技術文献】
【特許文献】
【０００５】
【特許文献１】特開平０７−１１６２６７号公報
【発明の概要】
【発明が解決しようとする課題】
【０００６】
図１０や図１１に示す導子１０１を治療部分１１８から離すためには、指や手でヘッド支持部１１２を保持しておく必要があるため指や手に負荷がかかっていた。
【０００７】
本発明は、上記課題に鑑みてなされたものであって、その目的の１つは、導子を治療部分から離す際の負荷が従来技術よりも低減されるようにすることにある。
【課題を解決するための手段】
【０００８】
上記課題を解決するために、本発明に係る導子は、表面に電極部が設けられるヘッド部と、前記ヘッド部に接続されるヘッド支持部と、を有し、前記ヘッド支持部は、前記ヘッド部の表面に沿った方向に延伸する延伸部と、前記延伸部と前記ヘッド部とを接続する接続部と、を有し、前記接続部は、前記延伸部の途中の位置において当該延伸部と接続されている、ことを特徴とする。
【０００９】
本発明の一態様では、前記ヘッド部には、前記電極部が設けられる表面に向かい断面積が小さくなるテーパが形成されている。
【００１０】
また、本発明の一態様では、前記延伸部における前記接続部と接続される位置よりも前方の部分は当該位置よりも後方の部分よりも平面視で幅広になっている。
【図面の簡単な説明】
【００１１】
【図１】本発明の一実施形態に係る導子の一例を示す斜視図である。
【図２】図１に示す導子の正面図である。
【図３】図１に示す導子の左側面図である。
【図４】図１に示す導子の平面図である。
【図５】図４のＶ−Ｖ線断面図である。
【図６】図１に示す導子の底面図である。
【図７】図１に示す導子を持つ様子の一例を示す図である。
【図８】図１に示す導子を持つ様子の別の一例を示す図である。
【図９】図１に示す導子を持つ様子のさらに別の一例を示す図である。
【図１０】従来の導子を備えた治療器を使用している様子の一例を示す図である。
【図１１】別の従来の導子を備えた治療器を使用している様子の一例を示す図である。
【発明を実施するための形態】
【００１２】
以下、本発明の一実施形態について図面に基づき詳細に説明する。
【００１３】
図１は、本発明の一実施形態に係る導子の斜視図である。図２は、図１に示す導子の正面図である。図３は、図１に示す導子の左側面図である。図４は、図１に示す導子の平面図である。図５は、図４のＶ−Ｖ線断面図である。図６は、図１に示す導子の底面図である。
【００１４】
本実施形態に係る導子１は、樹脂により一体的に成形されている本体部２と、金属製の電極部３と、を含んで構成されている。本体部２は、ヘッド部１０と、ヘッド部１０に接続されるヘッド支持部１２と、を有する。
【００１５】
ヘッド部１０の表面には電極部３が設けられている。電極部３は、一対の半リング形状の電極３ａと、略円柱形状の電極３ｂと、から構成されている。そして、０．３ＭＨｚや０．５ＭＨｚの周波数であるラジオ波が、電極３ｂから放射される。また一対の電極３ａの間には、例えば数百ヘルツ以下の周波数のパルス電圧が印加され、パルス電流が流れる。上記のラジオ波やパルス電流は、電極部３と電気的に接続されている治療器（図示せず）から供給される。図５に示すように本実施形態に係る導子１は空洞になっており、当該空洞には、電極部３と治療器とを電気的に接続するコードが配置される。
【００１６】
またヘッド部１０には、電極部３が設けられる表面に向かい断面積が小さくなるテーパ１４が形成されている。
【００１７】
ヘッド支持部１２は、ヘッド部１０の表面に沿った方向に延伸する延伸部１２ａと、延伸部１２ａとヘッド部１０とを接続する接続部１２ｂと、を有する。接続部１２ｂは、延伸部１２ａの途中の位置において延伸部１２ａと接続されている。そのため、ヘッド支持部１２は、側面視においてＴ字形状をしている。
【００１８】
延伸部１２ａは、接続部１２ｂと接続される位置よりも前方の部分である先端部１２ａ−１と、当該位置よりも後方の部分である根元部１２ａ−２とを有する。根元部１２ａ−２の中央付近には、蛇腹１６が設けられている。そして蛇腹１６は、延伸部１２ａの延伸方向に対して垂直な方向に曲がるようになっている。
【００１９】
先端部１２ａ−１の最大幅ｄ１は根元部１２ａ−２の最大幅ｄ２よりも長い。このように、先端部１２ａ−１は根元部１２ａ−２よりも平面視で幅広になっている。
【００２０】
ヘッド部１０及び接続部１２ｂは、平面視において略円形である。そして、平面視において接続部１２ｂの中心の位置とヘッド部１０の中心の位置とは略一致する。また平面視において先端部１２ａ−１が占める領域はヘッド部１０が占める領域におさまっている。
【００２１】
図７は、本実施形態に係る導子１を持つ様子の一例を示す図である。図７の例では、導子１と接続された治療器の利用者は、ヘッド部１０を包み込むようにして手で導子１を把持して、電極部３を治療部分１８に接触させている。ここで利用者が手を甲の方向に移動させると、先端部１２ａ−１に利用者の人差し指が引っかかる。そのため、例えば人差し指と中指とで接続部１２ｂを横方向から挟むなどして導子１を保持しなくても電極部３を治療部分１８から離すことができる。このようにして本実施形態に係る導子１によれば、導子１を治療部分１８から離す際の負荷が低減される。
【００２２】
図８に、本実施形態に係る導子１を持つ様子の別の一例を示す。図８の例では、導子１を用いた治療器の利用者は、先端部１２ａ−１を包み込むようにして手で導子１を把持している。図９に、本実施形態に係る導子１を持つ様子の別の一例を示す。図９の例では、導子１を用いた治療器の利用者は、根元部１２ａ−２を手で握ることで導子１を把持している。以上のように本実施形態では、接続部１２ｂが延伸部１２ａの途中の位置において延伸部１２ａと接続されているため、利用者は様々な持ち方で本実施形態に係る導子１を把持することができる。
【００２３】
また上述のようにヘッド部１０には、電極部３が設けられる表面に向かい断面積が小さくなるテーパ１４が形成されている。そのため例えば図７に示す持ち方で導子１を把持する際には、指先がテーパ１４にかかるよう把持することで利用者は導子１をしっかりと握ることができる。
【００２４】
また本実施形態では、治療部分１８は、電極３ｂから出力されるラジオ波によって温められるとともに、一対の電極３ａに流れるパルス電流によって電流刺激が与えられる。また本実施形態に係る治療器は、治療部分１８の浅部の加温や軟部組織の加温に適したキャパティブモードでの動作、又は、治療部分１８の深部加温に適したレジスティブモードでの動作のいずれかを選択的に実行できるようになっている。
【００２５】
なお、本発明は上述の実施形態に限定されるものではない。
【００２６】
例えば、ヘッド支持部１２がヘッド部１０とは異なる部品であり、ヘッド支持部１２に対してヘッド部１０が着脱可能になっていてもよい。また延伸部１２ａと接続部１２ｂとが別の部材であっても構わない。
【符号の説明】
【００２７】
１  導子、２  本体部、３  電極部、３ａ  電極、３ｂ  電極、１０  ヘッド部、１２  ヘッド支持部、１２ａ  延伸部、１２ａ−１  先端部、１２ａ−２  根元部、１２ｂ  接続部、１４  テーパ、１６  蛇腹、１８  治療部分、１０１  導子、１０２  本体部、１０３  電極部、１１０  ヘッド部、１１２  ヘッド支持部、１１２ａ  延伸部、１１２ｂ  接続部、１１８  治療部分。
【図１】
2015131029.tif 000003
【図２】
2015131029.tif 000004
【図３】
2015131029.tif 000005
【図４】
2015131029.tif 000006
【図５】
2015131029.tif 000007
【図６】
2015131029.tif 000008
【図７】
2015131029.tif 000009
【図８】
2015131029.tif 000010
【図９】
2015131029.tif 000011
【図１０】
2015131029.tif 000012
【図１１】
2015131029.tif 000013